【事件の表示】
　特願２０１４−　３６０５３「レーザー光源駆動装置及び表示装置」拒絶査定不服審判事件〔平成２７年　９月　７日出願公開、特開２０１５−１６２５２６、請求項の数（３）〕について、次のとおり審決する。
【結　論】
　原査定を取り消す。
　本願の発明は、特許すべきものとする。
【理　由】
第１　手続の経緯
　本願は、平成２６年２月２６日の出願であって、その手続の経緯は以下のとおりである。
　平成２９年１０月１０日付け：拒絶理由通知書
　平成２９年１２月　７日　　：意見書、手続補正書の提出
　平成３０年　５月２３日付け：拒絶理由通知書
　平成３０年　７月２７日　　：意見書、手続補正書の提出
　平成３０年１０月２６日付け：拒絶査定
　平成３１年　１月２８日　　：審判請求書の提出
　令和元年　　８月　８日付け：拒絶理由通知書
　令和元年　１０月    ４日　　：意見書、手続補正書の提出
第２　本願発明
　本願の請求項１−３に係る発明（以下、「本願発明１」〜「本願発明３」という。）は、令和元年１０月４日付けの手続補正で補正された特許請求の範囲の請求項１−３に記載される発明であり、そのうち本願発明１は以下のとおりのものである。
「【請求項１】
　駆動電流が供給されると光を出射し、閾電流値以上の電流が供給されるとレーザー発振する光源と、
　入力する画像データが要求する階調レベルに対応する前記駆動電流を読み出し可能な光強度特性を記憶する記憶部と、
　前記光強度特性に基づいて、入力した前記階調レベルに対応する前記駆動電流を前記光源に供給し、前記階調レベルが黒色の表示を求めている場合に初期電流値で前記光源を駆動する光源制御手段と、
　外光の強度を検出する外光検出手段と、を備え、
　前記光強度特性は、前記光源に供給される駆動電流と前記階調レベルが対応した前記光源の光強度との関係を示す直線として表され、前記閾電流値未満の電流値を含む第１の直線と、前記閾電流値以上の電流値を含む第２の直線と、を有し、
　前記光源制御手段は、前記外光検出手段が検出した外光強度が所定値未満の場合に、前記初期電流値をゼロに設定した上で、前記第１の直線又は前記第２の直線に基づき、前記階調レベルに対応した前記駆動電流を前記光源に供給し、
　前記外光検出手段が検出した外光強度が前記所定値以上の場合に、前記初期電流値を前記閾電流値よりも小さい前記第１の直線上の任意値に設定した上で、前記第２の直線に基づき、前記階調レベルに対応した前記駆動電流を前記光源に供給する、
　ことを特徴とするレーザー光源駆動装置。」
　なお、本願発明２、３の概要は以下のとおりである。
　本願発明２は、本願発明１を減縮した発明である。
　本願発明３は、本願発明１又は２のレーザー光源駆動装置を備えた表示装置の発明である。
第３　原査定の概要
　この出願の請求項１−３に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　＜引用文献等一覧＞
１．特開２０１２−１０８３９７号公報
２．特開２００９−２４４７９７号公報
３．特開２００７−２２３１０９号公報
第４　引用文献、引用発明
１　引用文献１について
　原査定の拒絶の理由に引用された引用文献１（特開２０１２−１０８３９７号公報）には、図面とともに次の事項が記載されている（下線は、当審で付与した。以下同じ。）。
「【０００９】
　しかしながら、上述した特許文献３の画像表示装置では、閾値電流値未満のレーザー駆動電流を投入した際の光出力は無視し、レーザー駆動電流を閾値電流値以上の２点以上変化させて光出力を検出し、電流−光出力特性を演算している。
【００１０】
　一方、
車両用ヘッドアップディスプレイ装置１では外光強度に合わせて表示輝度を大きく変化させ、調光比を大きくとる必要がある。
最小輝度では数ｃｄ／ｍ
2
が要求される。このような最小輝度を達成するためにはレーザー駆動電流を閾値電流値未満に調整し、レーザー発振していない光も利用する必要があるため、閾値電流値未満の電流−光出力特性に基づいてレーザー光源を所定の電流値で駆動する必要がある。
【００１１】
　したがって、特許文献３の方法を車両用ヘッドアップディスプレイ装置１に応用した場合、閾値電流値を正確に特定することは出来ず、閾値電流値未満の電流−光出力特性も不明であるため、
特に低輝度状態で表示輝度が不安定になる、所望の表示色が得られないといった問題があった。
「【００２０】
　図２に示すように、
ヘッドアップディスプレイ装置１は、合成レーザー光発生器（レーザー光源）１０と、
ライトセンサ（外光検出部）６０と
を備えている。
【００２１】
　
合成レーザー光発生器１０は、三原色のレーザー光Ｒ，Ｇ，Ｂを合波して１本の合成レーザー光Ｃを出射するもの
・・・（中略）・・・
【００２６】
　このように、レーザー光Ｒ，Ｇ，Ｂは１本の合成レーザー光Ｃに合波され、合成レーザー光発生器１０から出射される。なお、レーザーダイオード１１ｒ，１１ｇ，１１ｂの各々が調整して配設されることにより、合波されたレーザー光Ｒ，Ｇ，Ｂの各々の偏光方向は一致しており、ウインドシールド３の反射率の偏光依存性を考慮して決定される。なお、
ダイクロイックミラー１４，１５は、ＬＥＤ光についても合波し、合波した光は合成レーザー光発生器１０から出射される。
　・・・（中略）・・・
【００３２】
　ハウジング７０は、硬質樹脂等から形成され、上方に所定の大きさの窓部７１を備えた箱状になっている。ハウジング７０は、合成レーザー光発生器１０，ＭＥＭＳスキャナー２０，カラーセンサ４０，透過スクリーン３０，反射部５０，ライトセンサ６０等を所定の位置に収納する。
ライトセンサ６０は、窓部７１の下面に設置されている。
【００３３】
　窓部７１は、アクリル等の透光性樹脂から湾曲形状に形成されており、ハウジング７０の開口部に溶着等により取り付けられる。窓部７１は、拡大ミラー５２で反射された光を透過させる。また、
窓部７１は、その下面側にライトセンサ６０を備える。
【００３４】
　次に、図４及び図５に基づいて、合成レーザー光発生器１０のレーザーダイオード１１ｒ，１１ｇ，１１ｂについて詳述する。レーザーダイオード１１ｒは赤色のレーザー光Ｒを発するものであり、レーザーダイオード１１ｇは緑色のレーザー光Ｇを発するものであり、レーザーダイオード１１ｂは青色のレーザー光Ｂを発するものである。
レーザーダイオード１１ｒ，１１ｇ，１１ｂは、閾値電流値Ｉ
ＴＨ
未満の駆動電流によって非レーザー光を出射し、閾値電流値Ｉ
ＴＨ
以上の駆動電流によってレーザー光Ｒ，Ｇ，Ｂを出射する
【００３５】
　レーザーダイオード１１ｒ，１１ｇ，１１ｂの電流−光出力特性は、閾値電流値ＩＴＨ以上と未満の各領域において、特性が異なっているが、どちらも線形である。このような閾値電流値ＩＴＨを有する理由としては活性層の電子分布を反転分布させるためのエネルギーと、増幅される光量がロス分を上回る必要があるためである。
【００３６】
　
閾値電流値Ｉ
ＴＨ
以上では誘導放出によるレーザー光Ｒ，Ｇ，Ｂが発振されるが、閾値電流値Ｉ
ＴＨ
未満では自然放出による非レーザー光が出射される。
「【００４０】
　カラーセンサ４０は、レーザー光Ｒ，Ｇ，Ｂの光強度を検出し、光強度のアナログデータをマイコン８１に出力する。
ライトセンサ６０は、外光強度を検出し、光強度のアナログデータをマイコン８１に出力する。
【００４１】
　マイコン８１は、ヘッドアップディスプレイ装置１における種々の動作を制御する。また、
マイコン８１には、表示画像Ｄを表示するための画像データが映像信号１００として、ＬＶＤＳ（Low Voltage Differential Signal）通信等によって供給される。
【００４２】
　
マイコン８１は、映像信号１００を受け取り、映像信号１００が要求する強度にするための制御データを生成し、出力制御部８２を介して、レーザーダイオード１１ｒ，１１ｇ，１１ｂを駆動することで、合成レーザー光発生器１０からＭＥＭＳスキャナー２０へ合成レーザー光Ｃを出射する。
【００４３】
　
前記制御データとは、カラーセンサ４０から受信したレーザー光強度のデジタルデータに基づいて、レーザーダイオード１１ｒ，１１ｇ，１１ｂの各々が出射するレーザー光Ｒ，Ｇ，Ｂの光強度を、映像信号１００が要求する強度にするためのデータである。
「【００５０】
　マイコン８１はフレーム毎の上述のタイミングでレーザーダイオード１１ｒ，１１ｇ，１１ｂを駆動する際に、光出力と駆動するレーザーダイオード１１ｒ，１１ｇ，１１ｂを変化させる。例えば、１フレーム目ではレーザーダイオード１１ｒを電流値ＩＦ１、２フレーム目ではレーザーダイオード１１ｒを電流値ＩＦ２、３フレーム目ではレーザーダイオード１１ｒを電流値ＩＦ３で駆動する。このとき、
カラーセンサ４０は各電流値に相当する光出力値Ｐ
Ｏ１
、光出力値Ｐ
Ｏ２
、光出力値Ｐ
Ｏ３
を検出し、マイコン８１へ出力する。
【００５１】
　
電流値Ｉ
Ｆ１
，Ｉ
Ｆ２
，Ｉ
Ｆ３
は、使用するレーザーダイオード１１ｒの平均的な電流−光出力特性から決定されるもの
【００５２】
　マイコン８１はカラーセンサ４０から入力された各レーザーダイオードの３つの光出力値光出力値ＰＯ１，ＰＯ２，ＰＯ３から電流−光出力特性を演算する。
演算する電流−光出力特性は、第一の直線Ｍ１と第二の直線Ｍ２とからなり、閾値電流値Ｉ
ＴＨ１
が屈曲点となるグラフで表せる。第一の直線Ｍ１は、原点（０，０）と（電流値Ｉ
Ｆ１
，光出力値Ｐ
Ｏ１
）を結ぶ直線である。
　・・・（中略）・・・
【００５５】
　
第一の直線Ｍ１と第二の直線Ｍ２の交点、即ち、閾値電流値Ｉ
ＴＨ１
を演算し、閾値電流値Ｉ
ＴＨ１
未満では第一の直線Ｍ１を、閾値電流値Ｉ
ＴＨ１
以上では第二の直線Ｍ２をレーザーダイオード１１ｒの電流−光出力特性とする。
【００５６】
　レーザーダイオード１１ｒと同様に、４〜６フレームではレーザーダイオード１１ｇを電流値ＩＦ４，ＩＦ５，ＩＦ６、７〜９フレームではレーザーダイオード１１ｂを電流値ＩＦ７，ＩＦ８，ＩＦ９で駆動し、カラーセンサ４０は各電流値に相当する光出力値ＰＯ４，ＰＯ５，ＰＯ６，ＰＯ７，ＰＯ８，ＰＯ９を検出し、マイコン８１へ出力する。
レーザーダイオード１１ｇ，１１ｂの電流−光出力特性は、閾値電流値Ｉ
ＴＨ２
，Ｉ
ＴＨ３
を境界とした第一の直線Ｍ３，Ｍ５及び第二の直線Ｍ４，Ｍ６からなる。
【００５７】
　
マイコン８１は、
出力制御部８２を介して演算結果から得られる電流値でレーザーダイオード１１ｒ，１１ｇ，１１ｂを駆動する。
ライトセンサ６０で検出された外光強度がマイコン８１に入力されると、マイコン８１は入力された外光強度レベルに適した表示輝度レベルを設定し、その輝度レベルが得られるように、上述の電流−光出力特性から駆動電流値を決定する。
【００５８】
　なお、
演算した電流−光出力特性を維持する期間は任意であり、
【００５９】
　本実施形態に係るヘッドアップディスプレイ装置１は、
一定期間ごとにレーザーダイオード１１ｒ，１１ｇ，１１ｂ夫々の電流−光出力特性を演算し、その演算結果に基づいてレーザーダイオード１１ｒ，１１ｇ，１１ｂの駆動電流値を決定する。
閾値電流値Ｉ
ＴＨ１
，Ｉ
ＴＨ２
，Ｉ
ＴＨ３
を特定し、閾値電流値未満の電流−光出力特性も演算することで、低輝度状態でも安定してレーザーダイオード１１ｒ，１１ｇ，１１ｂを駆動することが可能であり、調光比を大きく取ることができる。
　したがって、上記引用文献１には、次の発明（以下「引用発明」という。）が記載されていると認められる。
「閾値電流値未満の駆動電流によって非レーザー光を出射するとともに、閾値電流値以上の駆動電流によってレーザー光を出射するレーザーダイオードを備える合成レーザー光発生器（レーザー光源）と、
演算された電流−光出力特性を一定期間維持するとともに、供給された映像信号が要求する強度にするための制御データを生成し、演算された電流−光出力特性に基づいて決定された電流値でレーザーダイオードを駆動するマイコンと、
外光強度を検出するライトセンサと、を備え、
電流−光出力特性は、レーザーダイオードを駆動する電流値と光出力値との関係を示す、閾値電流値未満での第一の直線と閾値電流値以上での第二の直線とからなり、
マイコンは、ライトセンサで検出された外光強度が入力されると、入力された外光強度レベルに適した表示輝度レベルを設定し、その輝度レベルが得られるように、電流−光出力特性から駆動電流値を決定する、
ヘッドアップディスプレイ装置。」
２　引用文献２について
　原査定の拒絶の理由に引用された引用文献２（特開２００９−２４４７９７号公報）には、次の事項が記載されている。
「【００５３】
　
各レーザ２１，２２，２３は、上述のように半導体レーザなどを用いており
発光遅延を抑制するために、各レーザ２１，２２，２３にそれぞれ閾値電流値Ｉｔｈのバイアス電流Ｉｂをその発光前に供給しておくことにより、各レーザ２１，２２，２３の応答性を高める
「【００７７】
　この映像信号供給回路１１は、後述する閾値電流値Ｉｔｈｒ，Ｉｔｈｇ，Ｉｔｈｂ及び最大電流値Ｉｍｒ，Ｉｍｇ，Ｉｍｂが制御部１２から通知される。
映像信号供給回路１１は、
輝度が０のときのタイミングで、閾値電流値Ｉｔｈｒ，Ｉｔｈｇ，Ｉｔｈｂに応じたバイアス電流Ｉｂｒ，Ｉｂｇ，Ｉｂｂをレーザ２１，２２，２３に供給するための映像信号１３ｒ，１３ｇ，１３ｂを生成して、レーザドライバ１６，１７，１８へ出力し、各レーザ２１，２２，２３の応答性を高めている。
　したがって、上記引用文献２には、次の技術的事項が記載されていると認められる。
「輝度が０のときに、閾値電流値に応じたバイアス電流を供給しておくことにより、半導体レーザの応答性を高めること。」
３　引用文献３について
原査定の拒絶の理由に引用された引用文献３（特開２００７−２２３１０９号公報）には、次の事項が記載されている。
「【０００１】
　本発明は、半導体レーザに通電してレーザ発振光を発生させる光学制御装置に関し、詳しくは、その
半導体レーザにレーザ発振光が発生しない程度のバイアス電流を通電することにより、迅速にレーザ発振光を発生させることを可能にした光学制御装置
「【００３５】
　また、レーザダイオードＬＤのカソードには、高速変調回路７１及びＬＤパワー制御部７２と並列に、バイアス制御部７７（バイアス通電手段の一例）が接続されている。このバイアス制御部７７は、ＡＳＩＣ８０から入力されるＰＷＭ信号をアナログの電圧に変換するＰＷＭ／Ａ変換部７８と、ＰＷＭ／Ａ変換部７８から出力される電圧に応じて
レーザダイオードＬＤへのバイアス電流を制御するＬＤバイアス電流制御回路７９とを備えている。
「【００４３】
　このように、本実施の形態では、
閾値電流Ｉｔｈに対応するバイアス制御ＰＷＭに、そのバイアス制御ＰＷＭに応じた係数をかけることによって画像形成用のバイアス制御ＰＷＭを設定しているので、レーザダイオードＬＤが不用意に発振するのを良好に抑制する
　したがって、上記引用文献３には、次の技術的事項が記載されていると認められる。
「閾値電流に応じてバイアス電流を設定し、レーザダイオードに供給することにより、レーザダイオードが不用意に発振するのを抑制しつつ、迅速にレーザ発振光を発生させること。」
第５　当審の判断
１　本願発明１について
（１）対比
ア　本願発明１と引用発明とを対比する。
イ　引用発明の「閾値電流値未満の駆動電流によって非レーザー光を出射するとともに、閾値電流値以上の駆動電流によってレーザー光を出射するレーザーダイオードを備える合成レーザー光発生器（レーザー光源）」は、本願発明１の「駆動電流が供給されると光を出射し、閾電流値以上の電流が供給されるとレーザー発振する光源」に相当する。
ウ　引用発明の「マイコン」は、「供給された映像信号が要求する強度にするための制御データを生成し、演算された電流−光出力特性に基づいて決定された電流値でレーザーダイオードを駆動」するものであるから、引用発明の「電流−光出力特性」は、本願発明１の「光強度特性」に相当し、「入力する画像データが要求する階調レベルに対応する前記駆動電流を読み出し可能な」ものであると認められる。
エ　引用発明の「マイコン」は、「演算された電流−光出力特性を一定期間維持する」ものであるから、本願発明１の「光強度特性を記憶する記憶部」に相当する構成を備えているものと認められる。
オ　引用発明の「マイコン」は、「供給された映像信号が要求する強度にするための制御データを生成し、演算された電流−光出力特性に基づいて決定された電流値でレーザーダイオードを駆動」するものであるから、「前記光強度特性に基づいて、入力した前記階調レベルに対応する前記駆動電流を前記光源に供給し」、「前記光源を駆動する光源制御手段」を備えているものと認められる。
カ　引用発明の「外光強度を検出するライトセンサ」は、本願発明１の「外光の強度を検出する外光検出手段」に相当する。
キ　引用発明の「電流−光出力特性」における各光出力値が「供給された映像信号が要求する強度」に対応していることは明らかであるから、引用発明における「電流−光出力特性」の「レーザーダイオードを駆動する電流値と光出力値との関係を示す」という構成は、本願発明１における「光強度特性」の「前記光源に供給される駆動電流と前記階調レベルが対応した前記光源の光強度との関係を示す直線として表され」るという構成に相当する。
ク　引用発明の「第一の直線」、「第二の直線」は、それぞれ本願発明１の「第１の直線」、「第２の直線」に相当するから、引用発明における「電流−光出力特性」の「閾値電流値未満での第一の直線と閾値電流値以上での第二の直線とからな」るという構成は、本願発明１における「光強度特性」の「前記閾電流値未満の電流値を含む第１の直線と、前記閾電流値以上の電流値を含む第２の直線と、を有」するという構成に相当する。
ケ　引用発明の「マイコン」は、「ライトセンサで検出された外光強度が入力されると、入力された外光強度レベルに適した表示輝度レベルを設定し、その輝度レベルが得られるように、電流−光出力特性から駆動電流値を決定する」ものであるから、「前記外光検出手段が検出した外光強度」に応じて、「前記階調レベルに対応した前記駆動電流を前記光源に供給」しているといえる。
コ　引用発明の「ヘッドアップディスプレイ装置」はレーザー駆動を行う構成を含むものであるから、本願発明１の「レーザー駆動装置」に相当する。
サ　したがって、本願発明１と引用発明とを対比したときの一致点及び相違点は、次のとおりである。
＜一致点＞
「駆動電流が供給されると光を出射し、閾電流値以上の電流が供給されるとレーザー発振する光源と、
入力する画像データが要求する階調レベルに対応する前記駆動電流を読み出し可能な光強度特性を記憶する記憶部と、
　前記光強度特性に基づいて、入力した前記階調レベルに対応する前記駆動電流を前記光源に供給し、前記光源を駆動する光源制御手段と、
　外光の強度を検出する外光検出手段と、を備え、
前記光強度特性は、前記光源に供給される駆動電流と前記階調レベルが対応した前記光源の光強度との関係を示す直線として表され、前記閾電流値未満の電流値を含む第１の直線と、前記閾電流値以上の電流値を含む第２の直線と、を有し、
　前記光源制御手段は、前記外光検出手段が検出した外光強度に応じて、前記階調レベルに対応した前記駆動電流を前記光源に供給する、
レーザー光源駆動装置。」
＜相違点１＞
　階調レベルに対応した駆動電流を光源に供給する構成について、本願発明１では、「前記外光検出手段が検出した外光強度が所定値未満の場合」には「前記第１の直線又は前記第２の直線に基づき」供給を行う一方で、「前記外光検出手段が検出した外光強度が前記所定値以上の場合」には「前記第２の直線に基づき」供給を行うのに対し、引用発明では、「ライトセンサで検出された外光強度が入力されると、入力された外光強度レベルに適した表示輝度レベルを設定し、その輝度レベルが得られるように」、「第一の直線」及び「第二の直線」からなる「電流−光出力特性から駆動電流値を決定している」点。
＜相違点２＞
　階調レベルが黒色の場合の表示制御について、本願発明１では、「前記階調レベルが黒色の表示を求めている場合に初期電流値で前記光源を駆動する」ように構成され、「前記外光検出手段が検出した外光強度が所定値未満の場合」には「前記初期電流値をゼロに設定」する一方で、「前記外光検出手段が検出した外光強度が前記所定値以上の場合」には「前記初期電流値を前記閾電流値よりも小さい前記第１の直線上の任意値に設定」するのに対し、引用発明では、階調レベルが黒色の表示を求めている場合の駆動方法について不明である点。
（２）相違点についての判断
ア　相違点２は、相違点１に係る構成を採用することが前提となったものであるため、相違点１、２を一体的に判断する。
イ　引用発明は、「ライトセンサで検出された外光強度が入力されると、入力された外光強度レベルに適した表示輝度レベルを設定し、その輝度レベルが得られるように、電流−光出力特性から駆動電流値を決定している」ものであるが、「外光強度」には様々な値があることを考えると、それにしたがって、「外光強度レベルに適した表示輝度レベル」も様々な値に設定されると考えるのが自然である。そうすると、引用発明は、そのような様々な「外光強度」に応じて、「電流−光出力特性」の「第一の直線」及び「第二の直線」にわたって駆動電流の領域を設定し、明るさを制御することができるものであると考えられる。そのようなところ、引用発明において、（様々な「外光強度」に必ずしも応じることがない）使用する駆動電流の領域を第１の直線、第２の直線のいずれかのみに基づいて決定するようにした本願発明の構成を採用する動機は見出せない。
ウ　仮に、照明の技術分野において慣用的に用いられている、外光強度が所定値未満であれば照明を点灯し、所定値以上であれば消灯するというように２つの場合に分けて駆動電流を制御するという構成や、制御の簡素化を目的として制御パターンの数を減少させるという一般的な技術思想を勘案することにより、引用発明において、相違点１に係る本願発明１の構成を採用することが当業者にとって容易に想到し得たものであるといえたとしても、相違点２に係る本願発明１の構成を採用することは当業者にとって容易に想到し得たものであるとはいえない。
エ　すなわち、外光強度が所定値以上の場合には、黒色の表示も含めて第２の直線のみに基づいて表示制御を行うことが普通であると考えられるところ、黒色以外の表示では（黒色に限りなく近い暗い表示も含めて）第２の直線に基づいて表示制御を行う一方、黒色の表示に限っては、あえてこのような制御から離れて（外光強度が低い場合に使用する）第１の直線に基づいて表示制御を行うことに、合理的な理由は見出せない。
オ　引用文献２、３に記載された技術は、半導体レーザを迅速に立ち上げるための技術であって、このような技術がよく知られているからといって、上述のとおり、引用発明に適用する動機付けは認められない。
カ　したがって、相違点１及び２に係る外光強度に応じた表示制御は、引用発明及び引用文献２、３に記載された技術的事項に基づいて、当業者が容易に想到し得たものとはいえない。
（３）小括
　よって、本願発明１は、引用発明及び引用文献２、３に記載された技術的事項に基づいて、当業者が容易に発明できたものとはいえない。
２　本願発明２、３について
　本願発明２、３も、上記相違点１及び２に係る本願発明１の外光強度に応じた表示制御に関する構成を備えるものであるから、本願発明１と同じ理由により、引用発明及び引用文献２、３に記載された技術的事項に基づいて、当業者が容易に発明できたものではない。
第６　当審拒絶理由について
　令和元年８月８日付けで、請求項１−３について発明が明確でないため、特許法第３６条第６項第２号に規定する要件を満たしていないとの拒絶理由を通知しているが、令和元年１０月４日付けの手続補正により補正がされた結果、この拒絶理由は解消した。
第７　原査定について
　原査定においては、引用発明は外光強度レベルに適した表示輝度レベルが得られるように駆動されるものであるものであり、低い表示輝度レベルでは第１の直線、高い表示輝度レベルでは第２の直線に基づいて駆動されるものであることを指摘しつつ、引用発明の第２の直線に基づく駆動はレーザ光が出射される駆動であることから、引用発明に、半導体レーザにおいて周知の技術である引用文献２、３に記載されたバイアス電流の構成を適用することにより、本願発明１を構成することは、当業者が容易に発明し得たものである旨を判断している。
　しかしながら、上述のとおり、外光強度が所定値以上の場合における黒色表示の際の駆動電流として、バイアス電流に相当する電流を採用する動機は見出せない。
　したがって、原査定を維持することはできない。
第８　むすび
　以上のとおり、本願発明１−３は、当業者が引用発明及び引用文献２、３に記載された技術的事項に基づいて容易に発明できたものではない。
　したがって、原査定の理由によっては、本願を拒絶することはできない。
　また、他に本願を拒絶すべき理由を発見しない。
　よって、結論のとおり審決する。